(57)【要約】【課題】ステアリングコラムロック装置のロック解除力を変えることができる代替的かつ改良された手段を提案する。【解決手段】本発明は、自動車用ステアリングコラムロック装置に関し、前記装置は、接触部材を有するロック用舌片と、回転軸の周りに回転移動可能なカムホイールとを備えており、−前記ロック用舌片は、前記ロック用舌片がステアリングコラムをロックする係合位置と、前記ロック用舌片が前記ステアリングコラムとの係合を解除する係合解除位置との間で、駆動するようになっており、−前記カムホイール（３）は、円形接触面（３２）を有する少なくとも１つのカム輪郭を備え、前記円形接触面（３２）は、前記カムホイール（３）の前記回転軸（３０）に対して可変半径（Ｒ１、Ｒ２）を有しており、  前記接触部材（１１）は、前記円形接触面（３２）と協働するようになっており、前記ロック用舌片（１）は、前記カムホイール（３）の回転によって、前記係合位置と前記係合解除位置との間で駆動する。  本発明は、本発明の自動車用電動ステアリングコラムロック、および前記電動ステアリングコラムロックを備えている自動車に関する。【選択図】図１
2019507702.tif 000002
【特許請求の範囲】
【請求項１】
自動車用ステアリングコラムロック装置であって、前記装置は、接触部材（１１）を有するロック用舌片（１）と、回転軸（３０）の周りに回転移動可能なカムホイール（３）とを備えており、
−前記ロック用舌片（１）は、前記ロック用舌片（１）がステアリングコラム（２）をロックする係合位置と、前記ロック用舌片（１）が前記ステアリングコラム（２）との係合を解除する係合解除位置との間で、駆動するようになっており、
−前記カムホイール（３）は、円形接触面（３２）を有する少なくとも１つのカム輪郭を備え、前記円形接触面（３２）は、前記カムホイール（３）の前記回転軸（３０）に対して可変半径（Ｒ１、Ｒ２）を有しており、
前記接触部材（１１）は、前記円形接触面（３２）と協働するようになっており、前記ロック用舌片（１）は、前記カムホイール（３）の回転によって、前記係合位置と前記係合解除位置との間で駆動するようになっていることを特徴とするステアリングコラムロック装置。
【請求項２】
前記可変半径（Ｒ１、Ｒ２）を有する前記円形接触面（３２）は、前記ロック用舌片（１）を前記係合位置から前記係合解除位置に駆動するようになっており、前記カムホイール（３）の回転によって、前記ロック用舌片（１）が前記係合位置から前記係合解除位置に駆動する際に、前記可変半径（Ｒ１、Ｒ２）の半径は、Ｒ１からＲ２へ減少することを特徴とする請求項１に記載のステアリングコラムロック装置。
【請求項３】
前記カムホイール（３）の回転によって、前記ロック用舌片（１）が前記係合位置から前記係合解除位置に駆動する際に、少なくとも１つのカム輪郭の傾斜は、増加することを特徴とする請求項１または２に記載のステアリングコラムロック装置。
【請求項４】
前記カムホイール（３）は、複数のカム輪郭を備えており、各カム輪郭は、特定の傾斜を有する円形接触面（３１、３２、３３）を有していることを特徴とする請求項１〜３のいずれか１項に記載のステアリングコラムロック装置。
【請求項５】
前記カムホイール（３）の回転によって、前記ロック用舌片（１）が前記係合位置から前記係合解除位置に駆動する際に、前記複数のカム輪郭の連続するカム輪郭の傾斜は、連続的に増加していることを特徴とする請求項４に記載のステアリングコラムロック装置。
【請求項６】
第１のカム輪郭と第３のカム輪郭との間に配置された中間カム輪郭は、前記可変半径（Ｒ１、Ｒ２）を有することを特徴とする請求項４または５に記載のステアリングコラムロック装置。
【請求項７】
可変半径（Ｒ１、Ｒ２）を有する前記円形接触面（３２）の幅は、前記第１および第２のカム輪郭の幅よりも小さくなっていることを特徴とする請求項６に記載のステアリングコラムロック装置。
【請求項８】
前記接触部材（１１）が前記第２のカム輪郭の円形接触面（３２）と協働するようになっており、これにより前記カムホイール（３）の回転によって、前記係合解除位置と、前記ロック用舌片（１）が前記係合解除位置に対して前記ステアリングコラムから離れている休止位置との間で、前記ロック用舌片（１）は、駆動し、かつ前記接触部材（１１）が前記第１のカム輪郭の円形接触面（３１）と協働するようになっており、これにより前記カムホイール（３）の回転によって、前記ロック用舌片（１）は、前記係合位置に位置するようになっていることを特徴とする請求項６または７に記載のステアリングコラムロック装置。
【請求項９】
前記カムホイール（３）は、３つの異なる連続するカム輪郭を備えていることを特徴とする請求項４〜８のいずれか１項に記載のステアリングコラムロック装置。
【請求項１０】
−請求項１〜９のいずれか１項に記載のステアリングコラムロック装置と、
−カムホイール（３）作動用モーターとを備えていることを特徴とする自動車用電動ステアリングコラムロック。
【請求項１１】
請求項１０に記載の電動ステアリングコラムロックを備えている自動車。
【発明の詳細な説明】
【技術分野】
【０００１】
本発明は、自動車用ステアリングコラムロック装置に関する。このような装置は、ステアリングコラムをロックおよびロック解除するようになっている。
【０００２】
さらに、本発明は、このようなステアリングコラムロック装置を備える自動車用電動ステアリングコラムロックに関する。
【背景技術】
【０００３】
自動車に用いられる電動ステアリングコラムロックは、通常、ロック用舌片がステアリングコラムをロックする係合位置と、ロック用舌片がステアリングコラムをロック解除する係合解除位置との間でロック用舌片の動きを制御するためのモーターを備えている。特に、ステアリングコラムは、ロック用舌片が係合位置にあるときは、回転が阻止され、ロック用舌片が係合解除位置にあるときは、回転が阻止されなくなる。
【０００４】
特に、ロック位置から係合を解除する間の電動ステアリングコラムロックの部品間の機械的関係を改善することによって、電動ステアリングコラムロックの使用を容易にすることが必要となっている。
【０００５】
従来技術によるステアリングコラムロック装置は、カム輪郭に沿ってロック解除力を変えることができるように、舌片を駆動するために傾斜を変えることができる複数のカム輪郭を備えたカムホイールを備えている。
【発明の概要】
【発明が解決しようとする課題】
【０００６】
本発明の目的は、ロック解除力を変えることができる代替的かつ改良された手段を提案することである。
【０００７】
本発明のさらなる目的は、ロック用舌片とカムホイールとの間の接触点の位置をより正確に制御することである。
【課題を解決するための手段】
【０００８】
この目的のために、本発明は、自動車用ステアリングコラムロック装置に関し、前記装置は、接触部材を有するロック用舌片と、回転軸の周りに回転移動可能なカムホイールとを備えており、
−前記ロック用舌片は、前記ロック用舌片がステアリングコラムをロックする係合位置と、前記ロック用舌片が前記ステアリングコラムとの係合を解除する係合解除位置との間で、駆動するようになっており、
−前記カムホイールは、円形接触面を有する少なくとも１つのカム輪郭を備え、前記円形接触面は、前記カムホイールの前記回転軸に対して可変半径を有しており、
前記接触部材は、前記円形接触面と協働するようになっており、前記ロック用舌片は、前記カムホイールの回転によって、前記係合位置と前記係合解除位置との間で駆動するようになっている。
【０００９】
可変半径は、ステアリングコラムロック装置の使用に適合させるために、ロック解除力を変えて用いることができるという利点を有している。本発明は、接触部材の接触点の位置、したがって、接触部材によってカムホイールに加えられる反作用トルクの位置をより正確に制御することができる。
【００１０】
単独または組み合わせて考えることができるさらなる実施形態によれば、
−前記可変半径を有する前記円形接触面は、前記ロック用舌片を前記係合位置から前記係合解除位置に駆動するようになっており、前記カムホイールの回転によって、前記ロック用舌片が前記係合位置から前記係合解除位置に駆動する際に、前記可変半径の半径は、減少するようになっており、および／または
−前記カムホイールの回転によって、前記ロック用舌片が前記係合位置から前記係合解除位置に駆動する際に、少なくとも１つのカム輪郭の傾斜は、増加するようになっており、および／または
−前記カムホイールは、複数のカム輪郭を備えており、各カム輪郭は、特定の傾斜を有する円形接触面を有しており、および／または
−前記カムホイールの回転によって、前記ロック用舌片が前記係合位置から前記係合解除位置に駆動する際に、前記複数のカム輪郭の連続するカム輪郭の傾斜は、連続的に増加しており、および／または
−第１のカム輪郭と第３のカム輪郭との間に配置された中間カム輪郭は、前記可変半径を有しており、および／または
−可変半径を有する前記円形接触面の幅は、前記第１および第２のカム輪郭の幅よりも小さくなっており、および／または
−前記接触部材が前記第２のカム輪郭の円形接触面と協働するようになっており、これにより前記カムホイールの回転によって、前記係合解除位置と、前記ロック用舌片が前記係合解除位置に対して前記ステアリングコラムから離れている休止位置との間で、前記ロック用舌片は、駆動し、かつ前記接触部材が前記第１のカム輪郭の円形接触面と協働するようになっており、これにより前記カムホイールの回転によって、前記ロック用舌片は、前記係合位置に位置するようになっており、および／または
−前記カムホイールは、３つの異なる連続するカム輪郭を備えている。
【００１１】
特定の傾斜を有する複数のカム輪郭は、ステアリングコラムロック装置の使用を適合させるために、ロック解除力を変えて、かつロック解除速度を変えて使用することができるという利点を有している。
【００１２】
さらに、本発明は、
−本発明によるステアリングコラムロック装置と、
−カムホイール作動用モーターとを備えている自動車用電動ステアリングコラムロックに関する。
【００１３】
さらに、本発明は、本発明による電動ステアリングコラムロックを備えている自動車に関する。
【図面の簡単な説明】
【００１４】
【図１】本発明のステアリングコラムロック装置のカムホイールの斜視図である。
【図２】係合位置にあるステアリングコラムと協働している本発明のステアリングコラムロック装置の概略的な側面図である。
【図３】係合解除位置にある本発明のステアリングコラム及びステアリングコラムロック装置の概略的な側面図である。
【図４】休止位置にある本発明のステアリングコラム及びステアリングコラムロック装置の概略的な側面図である。
【発明を実施するための形態】
【００１５】
本発明の他の特徴および利点は、添付図面を参照して、非限定的な実施形態の以下の説明から明らかになるであろう。
【００１６】
図中の要素は、簡潔かつ明瞭にするために示されており、必ずしも縮尺通りに描かれていない。例えば、図のいくつかの要素の寸法は、本発明の実施形態の理解を向上させるために、他の要素に対して誇張されている。
【００１７】
本発明は、ロック用舌片とカムホイールとを備えた自動車用ステアリングコラムロック装置に関する。
【００１８】
ロック用舌片は、ロック用舌片がステアリングコラムをロックする係合位置と、ロック用舌片がステアリングコラムを解除する係合解除位置との間で駆動するようになっている。
【００１９】
さらに、ロック用舌片は、ロック用舌片が係合解除位置に対してステアリングコラムから離れている休止位置に駆動することができる。
【００２０】
図１は、本発明のステアリングコラムロック装置のカムホイール３を示している。
【００２１】
カムホイール３は、図１の符号３０の回転軸の周りを回転移動可能である。カムホイール３の回転により、ロック用舌片を係合位置から係合解除位置へ、次に休止位置へ、次に係合位置へと駆動させることができる。特に、図１において、カムホイール３は、矢印３０ａの方向に回転するようになっている。対称形の装置では、矢印３０ａの方向とは反対の方向に回転させることができる。
【００２２】
カムホイール３は、円形接触面を有する少なくとも１つのカム輪郭を備えている。
【００２３】
カム輪郭の円形接触面は、カムホイール３の回転軸３０に対して可変半径を有している。図１に示すように、円形接触面３２は、軸３０に対して可変半径Ｒ１、Ｒ２を有している。
【００２４】
ロック用舌片は、図２〜図４に示すように、接触部材１１を有している。
【００２５】
接触部材１１は、可変半径Ｒ１、Ｒ２を有する円形接触面３２と協働することにより、カムホイール３の回転によって、ロック用舌片１は、係合位置と係合解除位置との間で駆動するようになっている。
【００２６】
特に、可変半径Ｒ１、Ｒ２を有する円形接触面３２は、ロック用舌片１を係合位置から係合解除位置へ駆動するようになっている。換言すれば、接触部材１１と円形接触面３２との協働により、ロック用舌片をステアリングコラムからその係合を解除することができる。
【００２７】
可変半径は、ステアリングコラムロック装置の使用を適合させるために、ロック解除力を変えて用いることができるという利点を有している。
【００２８】
本発明の一実施形態によれば、図１に示すように、カムホイール３の回転によって、ロック用舌片１が係合位置から係合解除位置へ駆動する際に、可変半径Ｒ１、Ｒ２は、Ｒ１からＲ２へ減少している。換言すれば、矢印３０ａの方向にカムホイール３が回転することによって、円形接触面３２は、回転軸３０に近づくようになる。円形接触面３２は、カムホイールの表面３２ａから突出しており、カムホイールの一般的な厚さよりも小さい幅となっていることに留意されたい。
【００２９】
特に、カムホイール３の回転によって、ロック用舌片１が係合位置から係合解除位置へ駆動する際に、可変半径Ｒ１、Ｒ２は、Ｒ１からＲ２へ大きく減少している。
【００３０】
本発明の一実施形態によれば、カムホイール３の回転によって、ロック用舌片１が係合位置から係合解除位置へ駆動する際に、カム輪郭の傾斜は、増加している。換言すれば、カム輪郭の傾斜は、矢印３０ａの方向へのカムホイール３の回転に伴って増加している。
【００３１】
特に、カムホイール３の回転によって、ロック用舌片１が係合位置から係合解除位置へ駆動する際に、カム輪郭の傾斜は、大きく増加することができる。
【００３２】
本発明の一実施形態によれば、カムホイール３は、複数のカム輪郭、例えば図１に示すような４つのカム輪郭を備えている。
【００３３】
各カム輪郭は、円形接触面を有している。図１では、第１のカム輪郭は円形接触面３１を有し、第２のカム輪郭は円形接触面３２を有し、第３のカム輪郭は円形接触面３３を有し、第４のカム輪郭は円形接触面３４を有している。
【００３４】
特に、複数のカム輪郭、より正確には複数のカム輪郭の円形接触面は、連続している。換言すれば、接触部材１１は、第１の円形接触面３１と、次に第２の円形接触面３２と、次に第３の円形接触面３３と、次に第４の円形接触面３４と協働するようになっている。接触部材１１と連続した円形接触面との協働により、ロック用舌片は、係合位置から係合解除位置へ、かつ休止位置へと駆動する。第２円形接触面３２の幅は、第１、第３及び第４円形接触面３１、３３、３４の幅よりも小さいことに留意されたい。第２円形接触面３２の幅を小さくすることにより、接触部材１１との接触点をより正確に制御することができる。その結果、カムホイール３の回転中心と接触部材との接触点との間の距離は、円形接触面３２の半径によって設定されるため、接触部材１１によってカムホイール３に加えられる反作用トルクもより正確に制御される。
【００３５】
各カム輪郭の円形接触面は、特定の傾斜を有している。例えば、第１及び第４のカム輪郭の傾斜は、ゼロであり、第２及び第３のカム輪郭の傾斜は、矢印３０ａの方向へのカムホイール３の回転に伴って増加している。
【００３６】
複数のカム輪郭が特定の傾斜をもつことにより、ロック解除力およびロック解除速度を変更することができるので、容易にステアリングコラムのロック解除をすることができるという利点を有している。
【００３７】
図２は、ステアリングコラム２と協働する係合位置にある本発明のステアリングコラムロック装置を示している。
【００３８】
本発明の一実施形態によれば、ステアリングコラムの部分２２は、ステアリングコラムロック装置のロック用舌片１を受け入れている。
【００３９】
図２に示すように、カムホイール３の回転によって、接触部材１１が円形接触面３１と協働することにより、ロック用舌片１は、係合位置に位置するようになる。
【００４０】
特に、第１のカム輪郭の傾斜がゼロであるので、カムホイール３の回転によって、接触部材１１が円形接触面３１と協働する際に、ロック用舌片１は、係合位置に留まっている。
【００４１】
換言すれば、係合位置は、接触部材１１が円形接触面３１と協働する位置に対応している。
【００４２】
次に、前述したように、接触部材１１が円形接触面３２と協働することにより、カムホイール３の回転によって、ロック用舌片１は、係合位置から係合解除位置へ移動する。
【００４３】
より正確には、円形接触面３２を有する第２のカム輪郭は、円形接触面３１を有する第１のカム輪郭と円形接触面３３を有する第３のカム輪郭との間に配置された中間のカム輪郭である。
【００４４】
図３は、係合解除位置にある本発明のステアリングコラム２およびステアリングコラムロック装置を示している。
【００４５】
ロック用舌片１は、ステアリングコラムの部分２２から外れている。
【００４６】
図３に示すように、カムホイール３の回転によって、接触部材１１が円形接触面３３と協働することにより、ロック用舌片１は、係合解除位置と休止位置との間で駆動するようになる。
【００４７】
特に、カムホイール３の回転によって、ロック用舌片１が係合解除位置から休止位置へ移動する際に、第３のカム輪郭の傾斜は、増加している。
【００４８】
換言すれば、係合解除位置から休止位置への移動は、接触部材１１が円形接触面３３と協働する位置に対応している。
【００４９】
図４は、休止位置にある本発明のステアリングコラム２およびステアリングコラムロック装置を示している。
【００５０】
ロック用舌片１は、係合解除位置に対してステアリングコラムの部分２２から離れている。
【００５１】
図４に示すように、カムホイール３の回転によって、接触部材１１が円形接触面３４と協働することにより、ロック用舌片１は、休止位置に位置している。
【００５２】
特に、カムホイール３の回転によって、接触部材１１が円形接触面３４と協働する際、第４のカム輪郭の傾斜がゼロであることにより、ロック用舌片１は、休止位置に留まっている。
【００５３】
換言すれば、休止位置は、接触部材１１が円形接触面３４と協働する位置に対応している。
【００５４】
カムホイール３の回転によって、接触部材１１が、円形接触面３４と協働し、次に円形接触面３１と協働することにより、ロック用舌片１は、休止位置から係合位置へ駆動するようになる。
【００５５】
第１および第４のカム輪郭は、同じカム輪郭であってもよい。具体的には、このようなカム輪郭の傾斜は、同じであってもよい。図１に示すように、第１および第４のカム輪郭の傾斜は、ゼロである。
【００５６】
円形接触面３１と円形接触面３４とは、カム部３５によって分離されている。図１では、カム部３５は垂直部分である。特に、ロック用舌片１が休止位置から係合位置に駆動する際に、接触部材１１は、円形の接触面３４から円形の接触面３１へ移動する。カム部３５は、円形接触面３４と円形接触面３１とをつなぐことができるようになっている。
【００５７】
本発明の一実施形態によれば、カムホイール３の回転によって、ロック用舌片１が係合位置から係合解除位置へ駆動する際に、連続するカム輪郭の傾斜は、増加している。
【００５８】
換言すれば、カムの傾斜は、連続するカム輪郭の間で増加している。例えば、カムホイール３の回転によって、ロック用舌片１が係合位置から係合解除位置へ駆動する際に、第１、第２および第３のカム輪郭の傾斜は、連続的に増加している。
【００５９】
このような実施形態では、第２のカム輪郭の傾斜は、第１のカム輪郭の傾斜よりも大きく、第３のカム輪郭の傾斜は、第２のカム輪郭の傾斜より大きくなっている。
【００６０】
第３のカム輪郭の傾斜を第２のカム輪郭の傾斜よりも大きくすることにより、ステアリングコラムロック装置の使用を適合させるために、ロック解除速度を変えて使用することができるようになる。このようにロック解除速度を変えることにより、ロック用舌片をステアリングコラムから離すこともできるようになる。
【００６１】
具体的には、カムホイール３の回転によって、ロック用舌片１が係合位置から係合解除位置へ駆動する際に、連続するカム輪郭の傾斜を、連続的に大きく増加させることができる。
【００６２】
本発明の一実施形態によれば、カムホイール３は、３つの異なる連続するカム輪郭を備えている。
【００６３】
例えば、カムホイール３は、第１、第２および第３のカム輪郭を備えており、これらは連続的で異なるカム輪郭をしている。別の例として、カムホイール３は、第２、第３および第４のカム輪郭を備えており、これらは連続的で異なるカム輪郭をしている。
【００６４】
このような実施形態では、連続している異なる輪郭は、異なる傾斜を有している。
【００６５】
前述したように、本発明は、さらにステアリングコラムロック装置を備える自動車用電動ステアリングコラムロックに関する。
【００６６】
電動ステアリングコラムロックは、カムホイール作動用モーターをさらに備えている。
【００６７】
前述したように、本発明は、さらに電動ステアリングコラムロックを備える自動車に関する。
【００６８】
特許請求の範囲に規定された一般的な発明概念を限定することなく、実施形態を用いて本発明を説明した。特に、異なる実施形態は、互いに互換性を有している。
【００６９】
前述の例示的な実施形態を参照することにより、当業者は、多くの変更及び変形を着想することができるであろう。前述した実施形態は、単なる例示として示されており、本発明の範囲を限定するものではない。本発明の技術的範囲は、後記の特許請求の範囲によってのみ判断されるものである。
【００７０】
特許請求の範囲において、「備える」という語は、他の要素または工程を排除するものではなく、不定冠詞は、複数を除外するものではない。異なる特徴が、異なる従属請求項に列挙されているという単なる事実は、これらの特徴の組み合わせが有利に用いることができないことを示すものではない。特許請求の範囲におけるいかなる符号も、本発明の範囲を限定するものとして解釈されるべきではない。
【符号の説明】
【００７１】
１          ロック用舌片
２          ステアリングコラム
３          カムホイール
１１        接触部材
２２        ステアリングコラムの部分
３０        回転軸
３０ａ      矢印
３１        第１の円形接触面
３２        第２の円形接触面
３２ａ      カムホイールの表面
３３        第３の円形接触面
３４        第４の円形接触面
３５        カム部
Ｒ１        可変半径
Ｒ２        可変半径
【図１】
2019507702.tif 000003
【図２】
2019507702.tif 000004
【図３】
2019507702.tif 000005
【図４】
2019507702.tif 000006
【国際調査報告】
2019507702.tif 000007
2019507702.tif 000008
2019507702.tif 000009